(57)【特許請求の範囲】
【請求項１】
扉の手前側の面に設けられ、操作される第１取手と、
前記扉の奥側の面に設けられ、前記第１取手とは独立して操作され、前記第１取手の動きに連動しない第２取手と、
前記第１取手に対する操作と連動して前記扉の内部に向かって後退し、前記第２取手に対する操作とは連動しない第１ラッチボルトと、
前記第２取手に対する操作と連動して前記扉の内部に向かって後退し、前記第１取手に対する操作とは連動しない第２ラッチボルトと、
を備え、
前記第１ラッチボルトは、上下方向から見て先細り形状となるように、先端部の手前側又は奥側の一方の面が傾斜し、
前記第２ラッチボルトは、上下方向から見て先細り形状となるように、先端部の手前側又は奥側の他方の面が傾斜し、
前記第１ラッチボルト及び前記第２ラッチボルトは、同じ高さで前後に隣り合って並んで配置され且つ前記扉が閉じている状態において同一の受け穴の内部に位置するラッチ装置。
【請求項２】
前記第１ラッチボルトは、先端部の奥側の面が傾斜し、
前記第２ラッチボルトは、先端部の手前側の面が傾斜した請求項１に記載のラッチ装置。
【請求項３】
前記第１ラッチボルト及び前記第２ラッチボルトは、一旦前記扉の内部に向かって後退した場合は、前記扉が開いている間は後退した状態を維持し、前記扉が閉じた際に前記扉の外部に向かって進出する請求項１又は２に記載のラッチ装置。
【請求項４】
請求項１から３のいずれか１項に記載のラッチ装置と、
解錠操作を受け付ける施解錠操作装置と、
前記施解錠操作装置からの信号に基づいて前記第１取手及び前記第２取手の少なくとも一方を操作可能な状態とする制御装置と、
を備えた電気錠システム。
【発明の詳細な説明】
【技術分野】
【０００１】
本発明は、ラッチ装置及び電気錠システムに関するものである。
【背景技術】
【０００２】
従来、手前及び奥の双方に開く構造に形成された扉が知られている。また、ロック装置としては、例えば、下記特許文献１に記載されたものがある。
【先行技術文献】
【特許文献】
【０００３】
【特許文献１】実開平２−４５２５７号公報
【発明の概要】
【発明が解決しようとする課題】
【０００４】
通行者は、上記のような扉を手前及び奥のいずれの方向にも開くことができる。このため、当該扉の反対側に居る他の通行者は、当該扉が開く方向を予期できない。
【０００５】
本発明は、上記の課題を解決するためになされた。その目的は、手前及び奥の双方に開く構造に形成された扉を通行者から見て一定の方向にのみ開かせるラッチ装置及び電気錠システムを提供することである。
【課題を解決するための手段】
【０００６】
本発明に係るラッチ装置は、扉の手前側の面に設けられ、操作される第１取手と、扉の奥側の面に設けられ、第１取手とは独立して操作され、第１取手の動きに連動しない第２取手と、第１取手に対する操作と連動して扉の内部に向かって後退し、第２取手に対する操作とは連動しない第１ラッチボルトと、第２取手に対する操作と連動して扉の内部に向かって後退し、第１取手に対する操作とは連動しない第２ラッチボルトと、を備え、第１ラッチボルトは、上下方向から見て先細り形状となるように、先端部の手前側又は奥側の一方の面が傾斜し、第２ラッチボルトは、上下方向から見て先細り形状となるように、先端部の手前側又は奥側の他方の面が傾斜し、第１ラッチボルト及び第２ラッチボルトは、同じ高さで前後に隣り合って並んで配置され且つ扉が閉じている状態において同一の受け穴の内部に位置するものである。
【０００７】
本発明に係る電気錠システムは、上記ラッチ装置と、解錠操作を受け付ける施解錠操作装置と、施解錠操作装置からの信号に基づいて第１取手及び第２取手の少なくとも一方を操作可能な状態とする制御装置と、を備えたものである。
【発明の効果】
【０００８】
本発明に係るラッチ装置において、第１ラッチボルトは、先端部の手前側又は奥側の一方の面が傾斜し、第２ラッチボルトは、先端部の手前側又は奥側の他方の面が傾斜している。このため、本発明によれば、手前及び奥の双方に開く構造に形成された扉を通行者から見て一定の方向にのみ開かせることができる。
【図面の簡単な説明】
【０００９】
【図１】本発明の実施の形態１におけるラッチ装置の第１の斜視図である。
【図２】本発明の実施の形態１におけるラッチ装置の第１の水平断面図である。
【図３】本発明の実施の形態１におけるラッチ装置の第２の斜視図である。
【図４】本発明の実施の形態１におけるラッチ装置の第２の水平断面図である。
【図５】本発明の実施の形態１におけるラッチ装置が設けられた扉の平面図である。
【図６】本発明の実施の形態１におけるラッチ装置の第３の水平断面図である。
【図７】本発明の実施の形態１におけるラッチ装置を備えた電気錠システムを示す第１の概略図である。
【図８】本発明の実施の形態１におけるラッチ装置を備えた電気錠システムを示す第２の概略図である。
【発明を実施するための形態】
【００１０】
添付の図面を参照して、本発明を詳細に説明する。各図では、同一又は相当する部分に同一の符号を付している。重複する説明は、適宜簡略化あるいは省略する。
【００１１】
実施の形態１．
図１は、実施の形態１におけるラッチ装置の第１の斜視図である。ラッチ装置は、例えば、手前及び奥の双方に開く構造に形成された扉１に設けられる。図１は、扉１が閉じている時のラッチ装置の状態を示している。
【００１２】
図１に示すように、ラッチ装置は、ケース２、第１取手３ａ及び第２取手３ｂを備えている。ケース２は、扉１の内部に組み込まれている。ケース２は、扉１の木口側の端部にフロント４を有している。フロント４は、扉１の外部に露出している。第１取手３ａ及び第２取手３ｂは、例えば、ノブ又はレバーハンドル等である。第１取手３ａは、前後方向において、扉１の手前側の面に設けられている。第２取手３ｂは、前後方向において、扉１の奥側の面に設けられている。第１取手３ａ及び第２取手３ｂは、ケース２内部に設けられた図示しない駆動機構に接続されている。第１取手３ａ及び第２取手３ｂは、例えば、通行者によって操作される。第１取手３ａ及び第２取手３ｂに対する操作は、例えば、一定の角度範囲での回転操作等である。第２取手３ｂは、第１取手３ａとは独立して操作される。つまり、第２取手３ｂは、上記の駆動機構において第１取手３ａと連動していない。
【００１３】
図１に示すように、ラッチ装置は、第１ラッチボルト５ａ及び第２ラッチボルト５ｂを備えている。第１ラッチボルト５ａ及び第２ラッチボルト５ｂは、同じ高さに配置されている。第１ラッチボルト５ａ及び第２ラッチボルト５ｂは、前後に並んで配置されている。第１ラッチボルト５ａは、第２ラッチボルト５ｂよりも手前に配置されている。第２ラッチボルト５ｂは、第１ラッチボルト５ａよりも奥に配置されている。図１に示す状態において、第１ラッチボルト５ａ及び第２ラッチボルト５ｂは、フロント４に形成された穴を介して、ケース２の外部に突出している。
【００１４】
図２は、実施の形態１におけるラッチ装置の第１の水平断面図である。図２は、扉１が閉じている時のラッチ装置を上から見た断面を示している。
【００１５】
図２に示すように、第１ラッチボルト５ａは、上下方向から見て先細り形状となるように、第１傾斜面６ａを備えている。第２ラッチボルト５ｂは、上下方向から見て先細り形状となるように、第２傾斜面６ｂを備えている。図２に示す状態において、第１ラッチボルト５ａのうち第１傾斜面６ａを含む一部は、フロント４からケース２の外部に突出している。図２に示す状態において、第２ラッチボルト５ｂのうち第２傾斜面６ｂを含む一部は、フロント４からケース２の外部に突出している。図２に示す状態において、第１ラッチボルト５ａ及び第２ラッチボルト５ｂのうち、ケース２の外部に突出した部分は、受け穴７の内部に位置している。受け穴７は、例えば、扉１の枠に取り付けられた受け具に形成されている。
【００１６】
第１傾斜面６ａは、図２に示す状態において、第１ラッチボルト５ａのフロント４付近から先端にかけて形成されている。第１ラッチボルト５ａは、その先端に近付くにつれて、手前に向かって前後方向における厚さが薄くなるように形成されている。第１傾斜面６ａは、扉１の前後方向において、第１ラッチボルト５ａの先端に近付くにつれてフロント４の中心から遠ざかる。つまり、第１傾斜面６ａは、第１ラッチボルト５ａの奥側に形成されている。なお、第１ラッチボルト５ａの手前側には、傾斜面が形成されていない。
【００１７】
第２傾斜面６ｂは、図２に示す状態において、第２ラッチボルト５ｂのフロント４付近から先端にかけて形成されている。第２ラッチボルト５ｂは、その先端に近付くにつれて、奥に向かって前後方向における厚さが薄くなるように形成されている。第２傾斜面６ｂは、扉１の前後方向において、第２ラッチボルト５ｂの先端に近付くにつれてフロント４の中心から遠ざかる。つまり、第２傾斜面６ｂは、第２ラッチボルト５ｂの手前側に形成されている。なお、第２ラッチボルト５ｂの奥側には、傾斜面が形成されていない。
【００１８】
図２に示す状態では、第１ラッチボルト５ａの手前側の面と受け穴７の手前側の縁部とが干渉するため、ラッチ装置は手前に向かって移動できない。また、図２に示す状態では、第２ラッチボルト５ｂの奥側の面と受け穴７の奥側の縁部とが干渉するため、ラッチ装置は奥に向かって移動できない。つまり、図２に示す状態では、扉１は、手前及び奥のいずれにも開かない。
【００１９】
第１ラッチボルト５ａ及び第２ラッチボルト５ｂは、ケース２の内部及び外部に向かって移動可能に形成されている。第１ラッチボルト５ａ及び第２ラッチボルト５ｂは、上記の駆動機構に接続されている。第１ラッチボルト５ａは、第１取手３ａに対する操作と連動して移動する。第２ラッチボルト５ｂは、第２取手３ｂに対する操作に連動して移動する。つまり、第２ラッチボルト５ｂは、上記の駆動機構において第１ラッチボルト５ａと連動していない。また、第１ラッチボルト５ａ及び第２ラッチボルト５ｂは、上記の駆動機構を介さずに直接力を加えられた場合にも移動可能に形成されている。
【００２０】
図３は、実施の形態１におけるラッチ装置の第２の斜視図である。図３は、一例として、扉１が閉じている時に第１取手３ａが回転操作された場合のラッチ装置の状態を示している。図３に示すように、第１取手３ａが回転操作されると、第１ラッチボルト５ａは、ケース２の内部に移動する。つまり、第１ラッチボルト５ａは、第１取手３ａに対する操作と連動して扉１の内部に向かって後退する。
【００２１】
図４は、実施の形態１におけるラッチ装置の第２の水平断面図である。図４は、図３に示す状態のラッチ装置を上から見た断面を示している。
【００２２】
図４に示す状態において、第２ラッチボルト５ｂの奥側の面は、受け穴７の奥側の縁部と干渉する。このため、図４に示す状態では、ラッチ装置は奥に向かって移動できない。一方、図４に示す状態において、第１ラッチボルト５ａは、扉１の内部に後退した状態となっている。つまり、第１ラッチボルト５ａの手前側の面は、受け穴７の手前側の縁部と干渉しない。図４に示す状態から扉１が手前に引かれた場合、第２傾斜面６ｂが受け穴７の手前側の縁部に接触する。このとき、第２ラッチボルト５ｂは、第２傾斜面６ｂが受け穴７の手前側の縁部から受ける力によって、ケース２の内部に押し込まれる。このため、図４に示す状態では、ラッチ装置は手前に向かって移動できる。つまり、図４に示す状態では、扉１は、手前にのみ開くことが可能である。
【００２３】
なお、図３に示す例とは逆に、扉１が閉じている時に第２取手３ｂが回転操作された場合、第２ラッチボルト５ｂがケース２の内部に移動する。つまり、第２ラッチボルト５ｂは、第２取手３ｂに対する操作と連動して扉１の内部に向かって後退する。この状態では、扉１は、奥にのみ開くことが可能である。
【００２４】
図５は、実施の形態１におけるラッチ装置が設けられた扉の平面図である。図５において、扉１が構造上開くことが可能な範囲は、破線で示されている。図５において、閉じている状態の扉１は、実線で示されている。つまり、図１から図４に示す状態の扉１は、実線で図５に示されている。図５において、手前に開いている状態の扉１は、一点鎖線で示されている。つまり、図４に示す状態から手前に引かれた場合の扉１は、一点鎖線で図５に示されている。
【００２５】
図６は、実施の形態１におけるラッチ装置の第３の水平断面図である。図４に示す状態から扉１が手前に開かれた場合のラッチ装置を上から見た断面を示している。つまり、図６は、一点鎖線で図５に示されている状態におけるラッチ装置を上から見た断面を示している。
【００２６】
図６に示すように、第１ラッチボルト５ａは、第１取手３ａに対する回転操作と連動して扉１の内部に後退した状態を維持している。また、図６に示すように、第２ラッチボルト５ｂは、扉１が手前に開かれる際に第２傾斜面６ｂが受け穴７の手前側の縁部から受けた力によりケース２の内部に押し込まれた状態を維持している。このように、第１ラッチボルト５ａ及び第２ラッチボルト５ｂは、一旦扉１の内部に向かって後退した場合、扉１が開いている間は後退した状態を維持する。つまり、上記の駆動機構は、第１ラッチボルト５ａ及び第２ラッチボルト５ｂをケース２の内部に留める機能を有している。
【００２７】
第１ラッチボルト５ａ及び第２ラッチボルト５ｂは、扉１が閉じた際に、扉１の外部に向かって進出する。つまり、第１ラッチボルト５ａ及び第２ラッチボルト５ｂは、扉１が閉じた際に、図１及び図２に示すように受け穴７の内部に入る。例えば、扉１の状態が図５において実線で示す状態から一点鎖線で示す状態へ変化した際に、ラッチ装置は、図６に示す状態から図２に示す状態へ復帰する。つまり、上記の駆動機構は、扉１が閉じた際に、第１ラッチボルト５ａ及び第２ラッチボルト５ｂをケース２の内部に留める機能を解除する。
【００２８】
図７は、実施の形態１におけるラッチ装置を備えた電気錠システムを示す第１の概略図である。図７は、手前から見た扉１の正面図を用いて電気錠システムの構成を示している。図８は、実施の形態１におけるラッチ装置を備えた電気錠システムを示す第２の概略図である。図８は、扉１の平面図を用いて電気錠システムの構成を示している。
【００２９】
電気錠システムは、扉１に設けられたラッチ装置、施解錠操作装置８及び制御装置９を備えている。電気錠システムは、施解錠操作装置８として、例えば、第１施解錠操作装置８ａ及び第２施解錠操作装置８ｂを備えている。第１施解錠操作装置８ａは、例えば、扉１付近の壁又は扉１自体の手前側の面等に設けられている。第２施解錠操作装置８ｂは、例えば、扉１付近の壁又は扉１自体の奥側の面等に設けられている。施解錠操作装置８は、例えば、ＩＣカードリーダ、ＩＣタグリーダ、指紋センサ、テンキー、押しボタン又はタッチパネル等である。制御装置９は、例えば、扉１又は壁の内部等に設けられている。また、制御装置９は、施解錠操作装置８に内蔵されていてもよい。
【００３０】
施解錠操作装置８は、通行者等による解錠操作を受け付ける。解錠操作は、例えば、通行者がＩＣカード又はＩＣタグ等の識別体から施解錠操作装置８に情報を読み取らせることである。また、解錠操作は、例えば、通行者が施解錠操作装置８を用いて暗証番号又はパスワード等の情報を入力することである。施解錠操作装置８は、解錠操作を受け付けることで取得した情報を示す信号を制御装置９に送信する。
【００３１】
電気錠システムにおいて、第１取手３ａ及び第２取手３ｂは、解錠操作が行われていない場合は、操作不可能である。解錠操作が行われていない場合、第１取手３ａ及び第２取手３ｂは、例えば、回転できない。
【００３２】
制御装置９は、照合用の情報を予め記憶している。制御装置９は、施解錠操作装置８から送信された信号が示す情報を照合用の情報と照合する。制御装置９は、照合の結果に基づいて、第１取手３ａ及び第２取手３ｂを制御する。
【００３３】
制御装置９は、第１施解錠操作装置８ａから送信された信号が示す情報が照合用の情報に含まれていた場合、第１取手３ａを操作可能な状態とする。制御装置９は、第２施解錠操作装置８ｂから送信された信号が示す情報が照合用の情報に含まれていた場合、第２取手３ｂを操作可能な状態とする。なお、制御装置９は、第１施解錠操作装置８ａから送信された信号が示す情報に基づいて第２取手３ｂを操作可能な状態とすることはない。また、制御装置９は、第２施解錠操作装置８ｂから送信された信号が示す情報に基づいて第１取手３ａを操作可能な状態とすることはない。つまり、制御装置９は、扉１の手前及び奥のうち解錠操作が行われた側から扉１を開ける動作が行えるように、第１取手３ａ及び第２取手３ｂを制御する。
【００３４】
実施の形態１において、第１ラッチボルト５ａは、第１取手３ａに対する操作と連動して扉１の内部に向かって後退する。第１ラッチボルト５ａは、手前側又は奥側の一方にのみ第１傾斜面６ａが形成されたものである。つまり、第１ラッチボルト５ａは、上下方向から見て先細り形状となるように、先端部の手前側又は奥側の一方の面のみが傾斜し、他方の面が傾斜していない。第１ラッチボルト５ａは、先端部が受け穴７の内部に位置している場合に、先端部の上記他方の面が受け穴７の上記他方の縁部と干渉する。第２ラッチボルト５ｂは、第２取手３ｂに対する操作と連動して扉１の内部に向かって後退する。第２ラッチボルト５ｂは、手前側又は奥側の他方にのみ第２傾斜面６ｂが形成されたものである。つまり、第２ラッチボルト５ｂは、上下方向から見て先細り形状となるように、先端部の手前側又は奥側の他方の面のみが傾斜し、先端部の手前側又は奥側の一方の面が傾斜していない。第２ラッチボルト５ｂは、先端部が受け穴７の内部に位置している場合に、先端部の上記一方の面が受け穴７の上記一方の縁部と干渉する。このため、通行者によって第１取手３ａが操作された場合、扉１は、前後方向における上記一方にのみ開くことが可能となる。また、通行者によって第２取手３ｂが操作された場合、扉１は、前後方向における上記他方にのみ開くことが可能となる。つまり、本発明によれば、手前及び奥の双方に開く構造に形成された扉を通行者から見て一定の方向にのみ開かせることができる。その結果、例えば、扉の反対側に居る他の通行者は、扉が開く方向を予期することができる。
【００３５】
実施の形態１において、第１ラッチボルト５ａの第１傾斜面６ａは、奥側に形成されている。つまり、第１ラッチボルト５ａは、先端部の奥側の面が傾斜している。第２ラッチボルト５ｂの第２傾斜面６ｂは、手前側に形成されている。つまり、第２ラッチボルト５ｂは、先端部の手前側の面が傾斜している。このため、通行者によって第１取手３ａが操作された場合、扉１は手前にのみ開くことが可能となる。また、通行者によって第２取手３ｂが操作された場合、扉１は奥にのみ開くことが可能となる。つまり、本発明によれば、手前及び奥の双方に開く構造に形成された扉を必ず通行者に引いて開けさせることができる。これにより、例えば、押して開けた際に扉が他の通行者等に衝突することを防止できる。その結果、例えば、手前及び奥の双方に開く構造に形成された扉を開けようとする通行者の安全性を向上させることができる。
【００３６】
実施の形態１において、第１ラッチボルト５ａ及び第２ラッチボルト５ｂは、一旦扉１の内部に向かって後退した場合は、扉１が開いている間は後退した状態を維持する。これにより、扉１が閉じなくなることを防止できる。また、第１ラッチボルト５ａ及び第２ラッチボルト５ｂは、扉１が閉じた際に扉１の外部に向かって進出する。これにより、通行者が扉１の開く方向を予期できなくなることを防止できる。
【００３７】
実施の形態１において、施解錠操作装置８は、通行者等による解錠操作を受け付ける。制御装置９は、施解錠操作装置８からの信号に基づいて、ラッチ装置の第１取手３ａ及び第２取手３ｂの少なくとも一方を操作可能な状態とする。その結果、手前及び奥の双方に開く構造に形成された扉を通行者から見て一定の方向にのみ開かせる電気錠システムを実現できる。
【００３８】
本発明において、第１ラッチボルト５ａ及び第２ラッチボルト５ｂは、同じ高さで前後に並んで配置されている。第１ラッチボルト５ａは、第２ラッチボルト５ｂよりも手前に配置されている。第２ラッチボルト５ｂは、第１ラッチボルト５ａよりも奥に配置されている。つまり、第１ラッチボルト５ａは、第２取手３ｂよりも第１取手３ａに近く配置されている。また、第２ラッチボルト５ｂは、第１取手３ａよりも第２取手３ｂに近く配置されている。このため、より簡単な構成で、第１ラッチボルト５ａが第１取手３ａと連動し且つ第２ラッチボルト５ｂが第２取手３ｂと連動する駆動機構を実現できる。
【００３９】
本発明において、第１ラッチボルト５ａ及び第２ラッチボルト５ｂは、同じ高さで前後に並んで配置されていなくともよい。例えば、第１ラッチボルト５ａ及び第２ラッチボルト５ｂは、上下に並んで配置されてもよい。また、第１ラッチボルト５ａは、第２ラッチボルト５ｂよりも手前に配置されていなくともよい。例えば、第２ラッチボルト５ｂの方が第１ラッチボルト５ａよりも手前に配置されてもよい。これらの場合であっても、第１ラッチボルト５ａが第１取手３ａと連動し且つ第２ラッチボルト５ｂが第２取手３ｂと連動しているならば、必ず通行者に扉１を引いて開けさせることができる。
【００４０】
本発明において、第１ラッチボルト５ａを第２取手３ｂと連動させ且つ第２ラッチボルト５ｂを第１取手３ａと連動させることも可能である。この場合であっても、扉１を通行者から見て一定の方向にのみ開かせることができる。ただし、この場合、通行者は扉１を必ず押して開けることになる。
【００４１】
本発明における電気錠システムは、第１ラッチボルト５ａ及び第２ラッチボルト５ｂが施解錠操作装置８と連動するように構成してもよい。例えば、第１ラッチボルト５ａ及び第２ラッチボルト５ｂは、解錠操作が行われていない状態では移動不可能であり、解錠操作により第１取手３ａ及び第２取手３ｂの少なくとも一方が操作可能となった状態では移動可能となるものでもよい。つまり、第１ラッチボルト５ａ及び第２ラッチボルト５ｂは、解錠操作の実施前は直接力を加えても移動させることができず、解錠操作の実施後は直接力を加えれば移動させることができるように形成されてもよい。この場合であっても、扉１を通行者から見て一定の方向にのみ開かせることができる。
【００４２】
本発明における電気錠システムは、第１ラッチボルト５ａ及び第２ラッチボルト５ｂが施解錠操作装置８と連動するように構成してもよい。例えば、第１施解錠操作装置８ａに対して解錠操作が行われた場合に第１ラッチボルト５ａが扉１の内部に向かって後退し、第２施解錠操作装置８ｂに対して解錠操作が行われた場合に第２ラッチボルト５ｂが扉１の内部に向かって後退することとしてもよい。この場合、第１取手３ａ及び第２取手３ｂは、駆動機構と接続されている必要はない。この場合であっても、扉１を通行者から見て一定の方向にのみ開かせることができる。
【００４３】
本発明における電気錠システムは、施解錠操作装置８として、第１施解錠操作装置８ａ又は第２施解錠操作装置８ｂの一方のみを備えることとしてもよい。例えば、入室時には制御装置９による照合が必要であり且つ退出は無条件で許可される部屋の内側には、施解錠操作装置８が設けられていなくともよい。この場合、第１取手３ａ及び第２取手３ｂのうち当該部屋の内側に位置するものは、常に操作可能な状態であればよい。
【符号の説明】
【００４４】
１  扉
２  ケース
３ａ  第１取手
３ｂ  第２取手
４  フロント
５ａ  第１ラッチボルト
５ｂ  第２ラッチボルト
６ａ  第１傾斜面
６ｂ  第２傾斜面
７  受け穴
８  施解錠操作装置
８ａ  第１施解錠操作装置
８ｂ  第２施解錠操作装置
９  制御装置
【図１】
0006511822.tif 000002
【図２】
0006511822.tif 000003
【図３】
0006511822.tif 000004
【図４】
0006511822.tif 000005
【図５】
0006511822.tif 000006
【図６】
0006511822.tif 000007
【図７】
0006511822.tif 000008
【図８】
0006511822.tif 000009